(57)【要約】【課題】ＩＣタグの位置情報の管理が容易な管理サーバ、広告システムを提供する。【解決手段】広告システム１の管理サーバ４０は、広告記憶部３２（３２Ａ，３２Ｂ，３２Ｘ）の広告の広告ＵＲＬを記憶する広告ＵＲＬテーブル５１と、管理サーバ４０を制御する制御部６０とを備え、携帯端末２０がＩＣタグ１３から管理サーバＵＲＬを読み出して管理サーバ４０に接続しＧＰＳ部２３の出力に基づいて求めた端末位置情報を管理サーバ４０に送信すると、制御部６０は、広告ＵＲＬを、受信した端末位置情報及び広告ＵＲＬテーブル５１の広告元位置情報に基づいて、広告ＵＲＬテーブル５１から選択し携帯端末２０に送信する。【選択図】図１
2014092577.tif 000002
【特許請求の範囲】
【請求項１】
ＩＣタグ所持体と、利用者が携行する携帯端末と、広告サーバに設けられ各広告を記憶する複数の広告記憶領域と、管理サーバとを備え、前記携帯端末及び前記広告サーバが通信網で接続されており、前記携帯端末及び前記管理サーバ間が通信網で接続されており、
前記ＩＣタグ所持体は、
前記管理サーバへの接続先情報である管理サーバ接続先を記憶するＩＣタグを備え、
前記携帯端末は、
前記ＩＣタグに近づけた状態で、前記ＩＣタグとの間で近距離通信するためのアンテナと、
広告を出力する広告出力部と、
端末位置を検出する位置情報検出部とを備え、
前記アンテナを介して前記ＩＣタグから前記管理サーバ接続先を読み取って前記管理サーバに接続し、前記位置情報検出部の出力に基づいて求めた端末位置情報を送信すること、
を特徴とする広告システムの前記管理サーバであって、
前記広告記憶領域への接続先情報である広告接続先と、広告元の位置情報に関する情報である広告元位置情報とを対応づけて記憶する広告接続先テーブルと、
管理サーバ制御部とを備え、
前記管理サーバ制御部は、
前記携帯端末から受信した前記端末位置情報と、前記広告接続先テーブルの前記広告元位置情報とに基づいて、前記広告接続先を前記広告接続先テーブルから選択する広告接続先選択処理を行い、前記携帯端末に送信すること、
を特徴とする管理サーバ。
【請求項２】
請求項１に記載の管理サーバにおいて、
前記広告は、複数の店舗に関するものであり、複数の前記広告接続先にそれぞれ記憶されており、
前記ＩＣタグ所持体は、交通機関の移動体に掲示され、前記移動体と一体で移動する掲示物であり、
前記広告接続先テーブルの前記広告元位置情報は、店舗位置情報であり、
前記管理サーバ制御部は、
前記広告接続先選択処理で、前記移動体の位置に応じた前記端末位置情報及び前記店舗位置情報に基づいて、前記広告接続先を選択すること、
を特徴とする管理サーバ。
【請求項３】
請求項１に記載の管理サーバにおいて、
前記広告は、複数の店舗に関するものであり、複数の前記広告接続先にそれぞれ記憶されており、
前記ＩＣタグ所持体は、前記複数の店舗にそれぞれ掲示される掲示物であり、
前記広告接続先テーブルの前記広告元位置情報は、店舗位置情報であり、
前記管理サーバ制御部は、
前記広告接続先選択処理で、前記店舗の位置に応じた前記端末位置情報及び前記店舗位置情報に基づいて、前記広告接続先を選択すること、
を特徴とする管理サーバ。
【請求項４】
請求項１に記載の管理サーバにおいて、
前記ＩＣタグ所持体は、利用者が携行するカードであり、
前記広告接続先テーブルの前記広告元位置情報は、店舗位置情報であり、
前記管理サーバ制御部は、
前記広告接続先選択処理で、利用者の位置に応じた前記端末位置情報に基づいて、前記広告接続先を選択すること、
を特徴とする管理サーバ。
【請求項５】
ＩＣタグ所持体と、利用者が携行する携帯端末と、広告サーバに設けられ各広告を記憶する複数の広告記憶領域と、管理サーバとを備え、前記携帯端末及び前記広告サーバが通信網で接続されており、前記携帯端末及び前記管理サーバ間が通信網で接続された広告システムであって、
前記ＩＣタグ所持体は、
前記管理サーバへの接続先情報である管理サーバ接続先を記憶するＩＣタグを備え、
前記携帯端末は、
前記ＩＣタグに近づけた状態で、前記ＩＣタグとの間で近距離通信するためのアンテナと、
広告を出力する広告出力部と、
端末位置を検出する位置情報検出部とを備え、
前記アンテナを介して前記ＩＣタグから前記管理サーバ接続先を読み取って前記管理サーバに接続し、
前記位置情報検出部の検出に基づいて求めた端末位置情報を前記管理サーバに送信し、
前記管理サーバは、
前記広告記憶領域への接続先情報である広告接続先と、広告元の位置情報に関する情報である広告元位置情報とを対応づけて記憶する広告接続先テーブルと、
管理サーバ制御部とを備え、
前記管理サーバ制御部は、
前記携帯端末から受信した前記端末位置情報と、前記広告接続先テーブルの前記広告元位置情報とに基づいて、前記広告接続先を前記広告接続先テーブルから選択する広告接続先選択処理を行い、前記携帯端末に送信し、
前記携帯端末は、
前記管理サーバから前記広告接続先を受信し、
前記広告接続先に基づいて、前記広告サーバに接続して前記広告を出力すること、
を特徴とする広告システム。
【発明の詳細な説明】
【技術分野】
【０００１】
本発明は、ＩＣタグを利用して、携帯端末に広告を出力する管理サーバ、広告システムに関するものである。
【背景技術】
【０００２】
従来、記憶媒体（ＩＣチップ等）をポスタ等の広告媒体等に貼り付けて掲示するシステムがあった（例えば特許文献１）。このシステムでは、情報端末を広告媒体に近づけると、情報端末が広告媒体等から位置情報、ＵＲＬ情報を読み取って、広告サーバに接続して近隣の店舗の広告等を出力する。
しかし、従来のシステムは、広告媒体等の記憶媒体の位置情報と、掲示場所との対応を管理しなければならない。このため、従来のシステムは、記憶媒体の管理が煩雑であった。
【先行技術文献】
【非特許文献】
【０００３】
【非特許文献１】トッパン・フォームズ株式会社他、”ニュースリリース”、［ｏｎｌｉｎｅ］、［平成２４年９月３０日検索］、インターネット＜ＵＲＬ：ｈｔｔｐ：／／ｗｗｗ．ｔｏｐｐａｎ−ｆ．ｃｏ．ｊｐ／ｎｅｗｓ／２０１２／０３０５．ｈｔｍｌ＞
【発明の概要】
【発明が解決しようとする課題】
【０００４】
本発明の課題は、ＩＣタグの位置情報の管理が容易な管理サーバ、広告システムを提供することである。
【課題を解決するための手段】
【０００５】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００６】
・第１の発明は、ＩＣタグ所持体（１０，２１０（２１０Ｃ，２１０Ｄ），３１０）と、利用者が携行する携帯端末（２０）と、広告サーバ（３０（３０Ａ，３０Ｂ，３０Ｘ），２３０（２３０Ｃ，２３０Ｄ），３３０（３３０Ｅ，３３０Ｆ））に設けられ各広告を記憶する複数の広告記憶領域（３２（３２Ａ，３２Ｂ，３２Ｘ），２３２（２３２Ｃ，２３２Ｄ），３３２（３３２Ｅ，３３２Ｆ））と、管理サーバ（４０，２４０，３４０）とを備え、前記携帯端末及び前記広告サーバが通信網（２）で接続されており、前記携帯端末及び前記管理サーバ間が通信網（２）で接続されており、前記ＩＣタグ所持体は、前記管理サーバへの接続先情報である管理サーバ接続先を記憶するＩＣタグ（１３，３１３）を備え、前記携帯端末は、前記ＩＣタグに近づけた状態で、前記ＩＣタグとの間で近距離通信するためのアンテナ（２２）と、広告を出力する広告出力部（２１）と、端末位置を検出する位置情報検出部（２３）とを備え、前記アンテナを介して前記ＩＣタグから前記管理サーバ接続先を読み取って前記管理サーバに接続し、前記位置情報検出部の出力に基づいて求めた端末位置情報を送信すること、を特徴とする広告システムの前記管理サーバであって、前記広告記憶領域への接続先情報である広告接続先と、広告元の位置情報に関する情報である広告元位置情報とを対応づけて記憶する広告接続先テーブル（５１，２５１，３５１）と、管理サーバ制御部（６０，２６０，３６０）とを備え、前記管理サーバ制御部は、前記携帯端末から受信した前記端末位置情報と、前記広告接続先テーブルの前記広告元位置情報とに基づいて、前記広告接続先を前記広告接続先テーブルから選択する広告接続先選択処理を行い、前記携帯端末に送信すること、を特徴とする管理サーバである。
・第２の発明は、第１の発明の管理サーバにおいて、前記広告は、複数の店舗に関するものであり、複数の前記広告接続先（３２（３２Ａ，３２Ｂ，３２Ｘ））にそれぞれ記憶されており、前記ＩＣタグ所持体（１０）は、交通機関の移動体に掲示され、前記移動体と一体で移動する掲示物であり、前記広告接続先テーブル（５１，２５１，３５１）の前記広告元位置情報は、店舗位置情報であり、前記管理サーバ制御部（６０）は、前記広告接続先選択処理で、前記移動体の位置に応じた前記端末位置情報及び前記店舗位置情報に基づいて、前記広告接続先を選択すること、を特徴とする管理サーバである。
・第３の発明は、第１の発明の管理サーバにおいて、前記広告は、複数の店舗に関するものであり、複数の前記広告接続先（２３２（２３２Ｃ，２３２Ｄ））にそれぞれ記憶されており、前記ＩＣタグ所持体（２１０）は、前記複数の店舗にそれぞれ掲示される掲示物であり、前記広告接続先テーブル（５１，２５１，３５１）の前記広告元位置情報は、店舗位置情報であり、前記管理サーバ制御部（２６０）は、前記広告接続先選択処理で、前記店舗の位置に応じた前記端末位置情報及び前記店舗位置情報に基づいて、前記広告接続先を選択すること、を特徴とする管理サーバである。
・第４の発明は、第１の発明の管理サーバにおいて、前記ＩＣタグ所持体（３１０）は、利用者が携行するカードであり、前記広告接続先テーブル（５１，２５１，３５１）の前記広告元位置情報は、店舗位置情報であり、前記管理サーバ制御部（３６０）は、前記広告接続先選択処理で、利用者の位置に応じた前記端末位置情報に基づいて、前記広告接続先を選択すること、を特徴とする管理サーバである。
【０００７】
・第５の発明は、ＩＣタグ所持体（１０，２１０（２１０Ｃ，２１０Ｄ），３１０）と、利用者が携行する携帯端末（２０）と、広告サーバ（３０（３０Ａ，３０Ｂ，３０Ｘ），２３０（２３０Ｃ，２３０Ｄ），３３０（３３０Ｅ，３３０Ｆ））に設けられ各広告を記憶する複数の広告記憶領域（３２Ａ，３２Ｂ，３２Ｘ），２３２（２３２Ｃ，２３２Ｄ），３３２（３３２Ｅ，３３２Ｆ）と、管理サーバ（４０，２４０，３４０）とを備え、前記携帯端末及び前記広告サーバが通信網（２）で接続されており、前記携帯端末及び前記管理サーバ間が通信網（２）で接続された広告システムであって、前記ＩＣタグ所持体は、前記管理サーバへの接続先情報である管理サーバ接続先を記憶するＩＣタグ（１３，３１３）を備え、前記携帯端末は、前記ＩＣタグに近づけた状態で、前記ＩＣタグとの間で近距離通信するためのアンテナ（２２）と、広告を出力する広告出力部（２１）と、端末位置を検出する位置情報検出部（２３）とを備え、前記アンテナを介して前記ＩＣタグから前記管理サーバ接続先を読み取って前記管理サーバに接続し、前記位置情報検出部の検出に基づいて求めた端末位置情報を前記管理サーバに送信し、前記管理サーバは、前記広告記憶領域への接続先情報である広告接続先と、広告元の位置情報に関する情報である広告元位置情報とを対応づけて記憶する広告接続先テーブル（５１，２５１，３５１）と、管理サーバ制御部（６０，２６０，３６０）とを備え、前記管理サーバ制御部は、前記携帯端末から受信した前記端末位置情報と、前記広告接続先テーブルの前記広告元位置情報とに基づいて、前記広告接続先を前記広告接続先テーブルから選択する広告接続先選択処理を行い、前記携帯端末に送信し、前記携帯端末は、前記管理サーバから前記広告接続先を受信し、前記広告接続先に基づいて、前記広告サーバに接続して前記広告を出力すること、を特徴とする広告システムである。
【発明の効果】
【０００８】
本発明によれば、ＩＣタグの位置情報の管理が容易な管理サーバ、広告システムを提供できる。
【図面の簡単な説明】
【０００９】
【図１】第１実施形態の広告システム１の全体構成を説明する図である。
【図２】第１実施形態の広告サーバ３０、管理サーバ４０の構成を説明する図である。
【図３】第１実施形態の広告ＵＲＬテーブル５１を示す図である。
【図４】第１実施形態の広告送信処理の全体を示すシーケンス図である。
【図５】第１実施形態の広告選択処理を示すフローチャートである。
【図６】第２実施形態の広告システム２０１の全体構成を説明する図である。
【図７】第２実施形態の広告サーバ２３０、管理サーバ２４０の構成を説明する図である。
【図８】第２実施形態の広告ＵＲＬテーブル２５１を示す図である。
【図９】第２実施形態の広告選択処理を示すフローチャートである。
【図１０】第３実施形態の広告システム３０１の全体構成を説明する図である。
【図１１】第３実施形態の広告サーバ３３０、管理サーバ３４０の構成を説明する図である。
【図１２】第３実施形態の広告選択処理を示すフローチャートである。
【発明を実施するための形態】
【００１０】
以下、図面等を参照して、本発明の実施形態について説明する。
（第１実施形態）
図１は、第１実施形態の広告システム１の全体構成を説明する図である。
図２は、第１実施形態の広告サーバ３０、管理サーバ４０の構成を説明する図である。
図３は、第１実施形態の広告ＵＲＬテーブル５１を示す図である。
図１に示すように、広告システム１は、携帯端末２０への広告配信に関するシステムである。各利用者が携行する携帯端末２０をポスタ１０（ＩＣタグ所持体）にかざすと、携帯端末２０が管理サーバ４０に接続される。そして、管理サーバ４０は、リダイレクト機能により、ポスタ１０にかざした携帯端末２０を広告サーバ３０に接続する。そして、携帯端末２０は、広告が配信される。
この広告は、Ｘ社の新商品に関するものである。利用者は、携帯端末２０から出力した広告を確認することにより、Ｘ社の新商品を販売している店舗のうち、利用者の現在位置から最も近い店舗等を確認できる。
【００１１】
広告システム１は、ポスタ１０、携帯端末２０、広告サーバ３０（３０Ａ，３０Ｂ，３０Ｘ）、管理サーバ４０を備える。広告サーバ３０、携帯端末２０、管理サーバ４０間は、インターネット等の通信網２を介して通信可能に接続されている。
【００１２】
ポスタ１０は、紙材、樹脂シート材等から形成された広告媒体である。ポスタ１０は、鉄道（交通機関）の列車３（移動体）の内壁部、つり革に掲示されるものや、中吊り広告等であり、列車３と一体で移動する。ポスタ１０は、広告主であるＸ社の商品広告である。実際には、ポスタ１０は、１つではなく、他の車両や他の列車に掲示されている。
ポスタ１０は、印刷１１、ＩＣタグ１３を備える。
印刷１１は、ポスタ１０の表面に設けられている。印刷１１の内容は、「枠内に情報端末をかざすと、近くの販売店を表示します」というものであり、利用者に対して、携帯端末２０をかざすことを促す内容である。
【００１３】
ＩＣタグ１３は、ＲＦＩＤタグである。ＲＦＩＤタグは、ポスタ１０の表面に印刷された枠１２内に配置されている。
ＩＣタグ１３は、ループアンテナ（図示せず）を備えており、携帯端末２０との間で通信できる。これら間の通信は、例えば、数ｍｍ〜数十ｍｍ程度である。ＩＣタグ１３は、例えば、ＮＦＣ規格（ＩＳＯ／ＩＥＣ１８０９２（ＮＦＣ  ＩＰ−１）、ＩＳＯ／ＩＥＣ２１４８１（ＮＦＣ  ＩＰ−２））に基づいて、１３．５６ＭＨｚの電磁波を利用する。
【００１４】
ＩＣタグ１３は、ＩＣタグ１３を統括的に制御する制御部（図示せず）と、ＩＣタグ１３の動作に必要なプログラムや情報を記憶する記憶部（図示せず）とを備える。
この記憶部は、タグ識別情報１３ａ、管理サーバＵＲＬ１３ｂを記憶している。
タグ識別情報１３ａは、ＩＣタグ１３に割り当てられた識別情報である。このため、タグ識別情報１３ａは、ポスタ１０毎に異なっている。例えば、図１に示す列車３のポスタ１０のタグ識別情報１３ａは、「００Ｘ」である。
なお、タグ識別情報１３ａは、複数のポスタ１０が掲示されている場合に、どのポスタ１０に基づいて携帯端末２０が接続されたか等を、管理サーバ４０等が解析するために利用できる。
管理サーバＵＲＬ１３ｂは、通信網２上の管理サーバ４０の接続先情報である。管理サーバＵＲＬ１３ｂは、複数のポスタ１０を設ける場合であっても共通である。このため、携帯端末２０は、どのポスタ１０にかざされても、同一の管理サーバ４０に接続される。
【００１５】
携帯端末２０は、各利用者が携行する携帯情報端末であり、例えば、携帯電話機である。
携帯端末２０は、表示部２１（広告出力部）、アンテナ２２、ＧＰＳ（Ｇｌｏｂａｌ  Ｐｏｓｉｔｉｏｎｉｎｇ  Ｓｙｓｔｅｍ）部２３（位置情報検出部）、制御部２４を備える。
表示部２１は、例えば液晶表示装置、有機ＥＬ表示装置等の表示装置である。表示部２１は、広告サーバ３０の広告を表示する。
アンテナ２２は、ループアンテナである。アンテナ２２は、ＩＣタグ１３が携帯端末２０との間で通信するためのものである。携帯端末２０をポスタ１０にかざすと、アンテナ２２とポスタ１０のＩＣタグ１３とが近づく。これにより、携帯端末２０は、アンテナ２２を介してＩＣタグ１３と通信できる。
ＧＰＳ部２３は、衛星測位システムを利用して、携帯端末２０の現在の位置である端末位置を検出するための装置である。ＧＰＳ部２３は、衛星からの電波を受信するアンテナや、電気回路等（図示せず）を備える。
制御部２４は、各携帯端末２０を制御する制御装置であり、例えば、ＣＰＵ等から構成される。
【００１６】
広告サーバ３０（３０Ａ，３０Ｂ，３０Ｘ）は、携帯端末２０からの要求に応じて、広告を携帯端末２０に送信するサーバである。広告サーバ３０Ａは、広告元である○×百貨店Ａ支店（店舗）が管理するものであり、広告サーバ３０Ｂは、広告元である○×百貨店Ｂ支店（店舗）が管理するものであり、広告サーバ３０Ｘは、新商品の広告主であるＸ社が管理するものである。なお、広告サーバ３０の数は、これに限定されない。
【００１７】
図２に示すように、○×百貨店Ａ支店の広告サーバ３０Ａは、記憶部３１Ａ、制御部３３Ａを備える。
記憶部３１Ａは、広告サーバ３０の動作に必要なプログラム、情報等を記憶するためのハードディスク、半導体メモリ素子等の記憶装置である。
記憶部３１Ａは、広告記憶部３２Ａ（広告記憶領域）を備える。
広告記憶部３２は、携帯端末２０に出力する広告のＷＥＢページの情報を記憶する領域である。広告記憶部３２は、通信網２上の接続先である広告ＵＲＬ「ｈｔｔｐ：／／ｗｗｗ．Ａ○×△／Ｘｓｈａ」に対応した領域に設けられている。広告の内容は、Ｘ社の新商品を販売していること、下車駅であるＡ駅から○×百貨店Ａ支店までの時間等を説明する画像情報を有する。
なお、このＷＥＢページは、Ｘ社の新商品のために特別に設けたものではなく、○×百貨店Ａ支店の一般のホームページ等でもよい。
【００１８】
制御部３３Ａは、広告サーバ３０Ａを制御する制御装置であり、例えば、ＣＰＵ等から構成される。制御部３３は、携帯端末２０からの要求に応じて、広告を送信したりする。
制御部３３の詳細な処理は、後述する。
【００１９】
同様に、広告サーバ３０Ｂ，３０Ｘは、記憶部３１Ｂ，３１Ｘ、広告記憶部３２Ｂ，３２Ｘ、制御部３３Ｂ，３３Ｘを有する。
○×百貨店Ｂ支店は、○×百貨店Ａ支店とは異なり、下車駅がＢ駅である。このため、○×百貨店Ｂ支店の広告記憶部３１Ｂは、Ｂ駅から○×百貨店Ｂまでの時間等を説明する画像情報を有する。
Ｘ社の広告記憶部３１Ｘは、利用者の近くに販売店がないことと、販売店舗名を知らせる画像情報を有する。
【００２０】
図２に示すように、管理サーバ４０は、記憶部５０、制御部６０を備える。
なお、本発明でいうコンピュータとは、記憶装置、制御装置等を備えた情報処理装置をいい、管理サーバ４０は、記憶部５０、制御部６０等を備えた情報処理装置であり、本発明のコンピュータの概念に含まれる。管理サーバ４０は、１台又は複数台のコンピュータから構成されている。
【００２１】
記憶部５０は、管理サーバ４０の動作に必要なプログラム、情報等を記憶するためのハードディスク、半導体メモリ素子等の記憶装置である。
記憶部５０は、広告ＵＲＬテーブル５１（広告接続先テーブル）を備える。
図３に示すように、広告ＵＲＬテーブル５１は、各広告サーバ３０Ａ，３０Ｂ，３０Ｘの広告の接続先である広告ＵＲＬ（広告接続先）を記憶するテーブルである。
広告ＵＲＬテーブル５１は、広告元又は広告主、広告元の住所（広告元位置情報）、広告ＵＲＬを関連付けて記憶している。広告元の住所は、広告元の店舗の位置に関する位置情報であればよく、位置情報は、住所に限らず、例えば緯度及び経度でもよい。
例えば、欄５１−Ａは、広告元「○×百貨店Ａ支店」、住所「Ａ市△町１−１−１」、広告ＵＲＬ「ｈｔｔｐ：／／ｗｗｗ．Ａ○×△／Ｘｓｈａ」を対応づけて記憶している。
なお、欄５１−Ｘは、Ｘ社に関する欄であるが、Ｘ社の住所の情報を有していない。Ｘ社自体が利用者に対して新商品を小売りすることはなく、利用者がＸ社を訪れる理由がないからである。
【００２２】
図２に示すように、制御部６０は、管理サーバ４０を制御する制御装置であり、例えばＣＰＵ等から構成される。制御部６０は、記憶部５０に記憶された各種プログラムを適宜読み出して実行することにより、前述したハードウェアと協働し、本発明に係る各種機能を実現している。
制御部６０は、広告ＵＲＬ選択部６１、広告ＵＲＬ送信部６２を備える。
広告ＵＲＬ選択部６１は、携帯端末２０から店舗までの距離を算出して、携帯端末２０に送信する広告を選択する制御部である。
広告ＵＲＬ送信部６２は、要求があった携帯端末２０に対して、広告ＵＲＬを送信する制御部である。
各制御部の詳細な処理は、後述する。
【００２３】
次に、広告システム１の利用方法、処理について説明する。
［広告送信処理］
最初に、携帯端末２０に広告を配信して表示する広告送信処理について説明する。
図４は、第１実施形態の広告送信処理の全体を示すシーケンス図である。
ステップＳ（以下、単に「Ｓ」という）１において、列車３に乗車し移動している利用者が携帯端末２０をポスタ１０にかざすと、そのアンテナ２２及びポスタ１０のＩＣタグ１３間が通信距離内に近づく。これにより、携帯端末２０の制御部２４は、ＩＣタグ１３との間で通信して、ＩＣタグ１３から管理サーバＵＲＬ１３ｂ、タグ識別情報１３ａを読み出す。
【００２４】
Ｓ２において、制御部２４は、ＧＰＳ部２３を制御して端末位置を検出し、端末位置情報を算出する（求める）。なお、この場合、携帯端末２０がポスタ１０にかざされるので、ＧＰＳ部２３は、電車３と一緒に移動しているポスタ１０の移動位置に応じた端末位置を検出する。
Ｓ３において、制御部２４は、管理サーバＵＲＬ１３ｂに基づいて管理サーバ４０に接続し、ＩＣタグ１３のタグ識別情報１３ａ、端末位置情報を送信して、広告選択の要求をする。
【００２５】
Ｓ４において、管理サーバ４０の広告ＵＲＬ選択部６１は、携帯端末２０からの広告選択の要求に応じて、その携帯端末２０に送信する広告を選択する処理である広告選択処理を行う。広告選択処理の詳細は、後述する。
なお、詳細な説明は省略するが、制御部６０は、広告選択の要求の受信ログ（タグ識別情報１３ａと、その受信時刻）を記憶する。このため、管理者等は、受信ログを解析すれば、どのポスタ１０から接続があったのかを解析できる。これにより、管理者等は、携帯端末２０からの接続が、どの路線のポスタ１０に基づくかを集計でき、広告効果を確認できる。
Ｓ５において、広告ＵＲＬ送信部６２は、広告選択処理で選択した広告の広告ＵＲＬを、広告選択の要求があった携帯端末２０に送信する。
【００２６】
Ｓ６において、携帯端末２０の制御部２４は、管理サーバ４０から広告ＵＲＬを受信すると、リダイレクト処理により、その広告ＵＲＬに基づいて、広告サーバ３０に接続して広告を要求する。制御部２４は、例えば、管理サーバ４０から○×百貨店Ａ支店の広告ＵＲＬを受信すれば、広告サーバ３０Ａに接続して○×百貨店Ａ支店の広告を要求する。
【００２７】
Ｓ７において、広告サーバ３０の制御部３３は、携帯端末２０から接続があった場合に、携帯端末２０が要求する広告ＵＲＬに対応した広告を、広告記憶部３２から読み出す。制御部３３は、読み出した広告を、その接続があった携帯端末２０に送信する。
例えば、上記例であれば、Ａ社の広告サーバ３０Ａは、○×百貨店Ａ支店の広告を、携帯端末２０に送信する。
【００２８】
Ｓ８において、携帯端末２０の制御部２４は、広告サーバ３０から受信した広告を、表示部２１に表示して出力する。
例えば、図１に示す携帯端末２０は、○×百貨店Ａ支店の広告を表示している。○×百貨店Ａ支店の広告を確認した利用者は、その新商品に興味があれば、乗車している列車３をＡ駅で下車して、○×百貨店Ａ支店に行って購入することができる。
【００２９】
なお、前述したように、広告のＷＥＢページが、Ｘ社の新商品に関するものではなく、○×百貨店Ａ支店の一般のホームページ等の場合でもあっても、利用者は、○×百貨店Ａ支店が一番近い店舗であることを理解できる。これは、ポスタ１０の印刷１１に「・・・販売店を表示します」と説明されているからである。この場合には、○×百貨店Ａ支店は、Ｘ社の新商品に関する広告が不要となり、広告作成の手間を省くことができる。また、管理サーバ４０の管理者は、既に作成されている○×百貨店Ａ支店のホームページのＵＲＬに基づいて、告ＵＲＬテーブル５１を作成すればよいので、システムの導入が容易である。
また、詳細な説明は省略するが、○×百貨店Ａ支店の広告の一部に、○×百貨店Ａ支店に行くまでの地図を掲載するようにしてもよい。この場合には、管理サーバ４０は、携帯端末２０の位置情報に基づいて、利用者の位置を地図上に逐次反映させて更新すれば、利用者を○×百貨店Ａ支店に案内できる。
【００３０】
［広告選択処理］
図５は、第１実施形態の広告選択処理を示すフローチャートである。
広告選択処理は、管理サーバ４０の上記Ｓ４の処理である（図４参照）。
Ｓ４１において、管理サーバ４０の制御部６０は、広告選択の要求を、携帯端末２０から受信する。
Ｓ４２において、広告ＵＲＬ選択部６１は、利用者の位置の５ｋｍ以内に、Ｘ社の新商品を販売している店舗があるか否かを判定する。広告ＵＲＬ選択部６１は、この判定を、広告選択の要求に含まれる端末位置情報と、広告ＵＲＬテーブル５１に記憶された○×百貨店Ａ支店、Ｂ支店の住所とを比較して、携帯端末２０からＡ支店、Ｂ支店までの距離を算出して行う。
広告ＵＲＬ選択部６１は、該当する店舗があると判定した場合には（Ｓ４２：ＹＥＳ）、Ｓ４３に進み、一方、該当する店舗がないと判定した場合には（Ｓ４２：ＮＯ）、Ｓ４２ａに進む。
【００３１】
Ｓ４２ａにおいて、広告ＵＲＬ選択部６１は、広告ＵＲＬテーブル５１からＸ社の広告ＵＲＬを選択する。
この場合には、広告ＵＲＬ送信部６２は、選択された広告ＵＲＬを携帯端末２０に送信し（Ｓ５）、利用者の携帯端末２０には、リダイレクト処理により、Ｘ社の広告（図２参照）が出力される。これにより、利用者は、現在位置の近くには、Ｘ社の新商品を販売している店舗がないことを確認できる。
【００３２】
Ｓ４３において、広告ＵＲＬ選択部６１は、上記Ｓ４２で５ｋｍ以内にあると判定された店舗の広告ＵＲＬを選択する。なお、利用者と○×百貨店Ａ支店、Ｂ支店との距離がいずれも５ｋｍ以内である場合には、広告ＵＲＬ選択部６１は、より近い○×百貨店の支店の広告を選択する。
【００３３】
例えば、図１に示す場面では、列車３がＡ駅に近づいており、利用者と○×百貨店Ａ支店との距離が５ｋｍ以内であれば（Ｓ４２：ＹＥＳ）、広告ＵＲＬ選択部６１は、○×百貨店Ａ支店の広告ＵＲＬを選択する（Ｓ４３）。
同様に、図１に破線で示すように、列車３がＢ駅に近づいており、利用者と○×百貨店Ｂ支店との距離が５ｋｍ以内であれば（Ｓ４２：ＹＥＳ）、広告ＵＲＬ選択部６１は、○×百貨店Ｂ支店の広告ＵＲＬを選択する。
このように、広告システム１は、同じポスタ１０を用いても、利用者の位置に応じて、異なる広告を選択して、利用者に出力できる。このため、ポスタ１０が列車３とともに移動しても、利用者が訪れやすい店舗の広告を出力でき、広告効果を向上できる。
【００３４】
以上説明したように、本実施形態の広告システム１は、利用者の現在位置に応じて、適切な広告を選択するので、ＩＣタグ１３に位置情報を記憶させなくても、ポスタ１０の掲示位置に対応した広告を携帯端末２０から出力でき、ＩＣタグ１３の管理が容易である。また、広告システム１は、列車３と一緒にポスタ１０が移動していても、利用者の現在位置に近い店舗を利用者に知らせることができる。
【００３５】
（第２実施形態）
次に、本発明の第２実施形態について説明する。
なお、以下の説明及び図面において、前述した第１実施形態と同様の機能、処理を果たす部分には、同一の符号又は末尾（下２桁）に同一の符号を付して、重複する説明を適宜省略する。
図６は、第２実施形態の広告システム２０１の全体構成を説明する図である。
図７は、第２実施形態の広告サーバ２３０、管理サーバ２４０の構成を説明する図である。
図８は、第２実施形態の広告ＵＲＬテーブル２５１を示す図である。
【００３６】
図６に示すように、ポスタ２１０Ｃ，２１０Ｄは、それぞれ、○×百貨店Ｃ支店、Ｄ支店の店舗の内壁等に掲示されるものである。ポスタ２１０Ｃ，２１０ＤのＩＣタグ１３には、それぞれ、異なるタグ識別情報１３ａが記憶されている。
【００３７】
図７に示すように、○×百貨店Ｃ，Ｄ支店が管理する広告サーバ２３０Ｃ，２３０Ｄの広告記憶部２３２Ｃ，２３２Ｄは、それぞれ携帯端末２０に出力するための広告を記憶している。
管理サーバ２４０は、記憶部２５０に、広告ＵＲＬテーブル２５１を備える。
図８に示すように、広告ＵＲＬテーブル２５１は、○×百貨店の支店名、住所、広告ＵＲＬを対応づけて記憶している。
【００３８】
次に、広告システム２０１の利用方法、処理について説明する。
［広告送信処理］
広告システム２０１の主な広告送信処理の主な処理は、第１実施形態（図４参照）と同様であるが、広告選択処理（Ｓ４）が異なる。
【００３９】
［広告選択処理］
図９は、第２実施形態の広告選択処理を示すフローチャートである。
最初に、利用者が携帯端末２０を店舗に掲示されたポスタ２１０にかざすと、携帯端末２０は、管理サーバ４０に接続し、タグ識別情報１３ａ、端末位置情報を送信して、広告選択の要求をする（第１実施形態のＳ１〜Ｓ３参照）。
そして、Ｓ２４１において、管理サーバ２４０の制御部２６０は、広告選択の要求を、携帯端末２０から受信する。
【００４０】
Ｓ２４２において、広告ＵＲＬ選択部２６１は、広告選択の要求に含まれる端末位置情報と、広告ＵＲＬテーブル２５１に記憶された○×百貨店Ｃ支店、Ｄ支店の住所とを比較して、利用者がどの店舗にいるかを判定する。
例えば、利用者が○×百貨店Ｃ支店にいる場合に、ポスタ２１０Ｃに携帯端末２０をかざせば、管理サーバ２４０は、○×百貨店Ｃ支店に対応した端末位置情報を、携帯端末２０から受信することになる。このため、広告ＵＲＬ選択部２６１は、この端末位置情報と、広告ＵＲＬテーブル２５１の欄２５１−Ｃの住所とから、利用者が○×百貨店Ｃ支店にいると判定できる。
【００４１】
Ｓ２４３において、広告ＵＲＬ選択部２６１は、利用者がいると判定した店舗の広告ＵＲＬを選択する。上記例であれば、広告ＵＲＬ選択部２６１は、欄２５１−Ｃの○×百貨店Ｃ支店の広告ＵＲＬを選択する。
そして、メインの処理に戻り（Ｓ２４４）、広告ＵＲＬ送信部２６２は、選択された広告ＵＲＬを携帯端末２０に送信する（第１実施形態のＳ５参照）。
【００４２】
これにより、広告システム２０１は、ポスタ２１０のＩＣタグ１３に位置情報が記録されていなくても、○×百貨店Ｃ支店にいる利用者は、○×百貨店Ｃ支店の広告を確認できる。一方、○×百貨店Ｄ支店にいる利用者は、○×百貨店Ｄ支店の広告を確認できることになる。このため、ポスタ２１０は、どのポスタ２１０（２１０Ｃ，２１０Ｄ）をどの店舗に掲示するかを管理する必要がなく、つまり、各店舗に合わせてＩＣタグ１３を分別しなくてもよいので、ポスタ２１０の管理が容易である。
【００４３】
なお、第１実施形態と同様に、ＩＣタグ１３のタグ識別情報１３ａは、どのポスタ２１０に基づいて、携帯端末２０が接続されたか等を、解析するために利用できる。
また、ポスタ２１０は、支店内に掲示することに限定されず、例えば、支店の近隣に掲示してもよい。この場合には、第１実施形態で説明したように、携帯端末２０の位置情報に基づいて、利用者を○×百貨店Ｃ支店に案内できる。
【００４４】
（第３実施形態）
次に、本発明の第３実施形態について説明する。
図１０は、第３実施形態の広告システム３０１の全体構成を説明する図である。
図１１は、第３実施形態の広告サーバ３３０、管理サーバ３４０の構成を説明する図である。
カード３１０は、ＩＣタグ３１３を備えるＩＣカードであり、○×百貨店の会員カード等である。カード３１０は、例えば、クレジットカード等を兼用するものでもよい。
ＩＣタグ３１３のタグ識別情報３１３ａは、利用者を識別するために利用される。
携帯端末２０の表示部２１には、○×百貨店の支店の広告が表示される。
表示部２１の広告は、地図表示ボタン３２１ａを備える。地図表示ボタン３２１ａを操作すると、利用者の位置を示す地図が表示されるようになっている。
【００４５】
図１１に示すように、○×百貨店Ｅ，Ｆ支店が管理する広告サーバ３３０Ｅ，３３０Ｆの広告記憶部３３２Ｅ，３３２Ｆは、それぞれ携帯端末２０に出力するための広告を記憶している。
【００４６】
管理サーバ３４０は、記憶部３５０に、広告ＵＲＬテーブル３５１を備える。
図示は省略するが、広告ＵＲＬテーブル３５１は、○×百貨店の支店名、住所、広告ＵＲＬを対応づけて記憶している。
【００４７】
次に、広告システム３０１の利用方法、処理について説明する。
図１２は、第３実施形態の広告選択処理を示すフローチャートである。
［広告送信処理］
広告システム３０１の広告送信処理の主な処理は、第１実施形態（図４参照）と同様である。
すなわち、利用者が携帯端末２０を自分が携行しているカード３１０にかざすと、携帯端末２０は、管理サーバ３４０に接続し、ＩＣタグ１３のタグ識別情報３１３ａ、端末位置情報を送信して、広告選択の要求をする（第１実施形態のＳ１〜Ｓ３参照）。
【００４８】
［広告選択処理］
図１２に示すように、Ｓ３４１において、これに応じて、管理サーバ３４０は、広告選択の要求を、携帯端末２０から受信する。
Ｓ３４２において、広告ＵＲＬ選択部３６１は、広告選択の要求に含まれる端末位置情報と、広告ＵＲＬテーブル３５１に記憶された○×百貨店Ｅ支店、Ｆ支店の住所とを比較して、携帯端末２０からＥ支店、Ｆ支店までの距離を算出し、利用者から最も近い支店を選択する。
Ｓ３４３において、広告ＵＲＬ選択部３６１は、利用者の近くの支店の広告ＵＲＬを選択する。
そして、メインの処理に戻り（Ｓ３４４）、広告ＵＲＬ送信部３６２は、選択された広告ＵＲＬを帯端末２０に送信する（第１実施形態のＳ５参照）。これにより、携帯端末２０の利用者は、近くの支店の広告を携帯端末２０の表示部２１で確認できる。
【００４９】
利用者は、広告に興味があり、支店に行きたい場合には、表示部２１の地図表示ボタン３２１ａを操作すればよい。管理サーバ３４０は、地図表示ボタン３２１ａの操作情報を受け取ると、第１実施形態で説明したように、携帯端末２０の位置情報に基づいて、利用者を○×百貨店Ｅ支店に道案内できる。
なお、管理サーバ３４０は、タグ識別情報３１３ａを、どの利用者がこのシステムを利用したかの分析等に利用できる。
【００５０】
以上、本発明の実施形態について説明したが、本発明は前述した実施形態に限定されるものではなく、後述する変形形態のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００５１】
（変形形態）
（１）実施形態において、管理サーバは、端末位置情報に基づいて、利用者と支店までの距離を求める例を示したが、これに限定されない。例えば、管理サーバは、徒歩や交通機関を利用した場合の移動時間を求めてもよい。この場合には、利用者は、距離だけではわからない移動時間を知ることができ、利便性を向上できる。
【００５２】
（２）実施形態において、タグ識別情報は、ＩＣタグ毎に異なる例を示したが、これに限定されない。例えば、タグ識別情報は、全てのＩＣタグで同一でもよい。この場合にも、実施形態で説明したように、端末位置情報を利用して、利用者及び支店間の距離や、利用者がどの支店にいるか等を判定できる。
【００５３】
（３）実施形態において、携帯端末は、タグ識別情報を管理サーバに送信し、管理サーバは、タグ識別情報を、携帯端末の接続の解析等に利用する例を示したが、これに限定されない。管理サーバは、端末位置情報が分かれば利用者の位置を判定できる。このため、携帯端末の接続の解析等が必要でなく、利用者の位置判定のみを目的とする場合には、管理サーバは、タグ識別情報に関する処理をしなくてもよい。
【００５４】
（４）実施形態において、複数の広告は、異なる広告サーバに記憶されている例を示したが、これに限定されない。例えば、複数の広告は、全て又は少なくとも一部が、１つの広告サーバ内に記憶されていてもよい。この場合にも、各広告ＵＲＬに対応した広告記憶部に、各広告をそれぞれ記憶させておけばよい。
【符号の説明】
【００５５】
１，２０１，３０１  広告システム
１０，２１０（２１０Ｃ，２１０Ｄ）  ポスタ
１３，３１３  ＩＣタグ
１３ａ，３１３ａ  タグ識別情報
１３ｂ  管理サーバＵＲＬ
２０  携帯端末
２１  表示部
２２  アンテナ
２３  ＧＰＳ部
３０（３０Ａ，３０Ｂ，３０Ｘ），２３０（２３０Ｃ，２３０Ｄ），３３０（３３０Ｅ，３３０Ｆ）  広告サーバ
３２（３２Ａ，３２Ｂ，３２Ｘ），２３２（２３２Ｃ，２３２Ｄ），３３２（３３２Ｅ，３３２Ｆ）  広告記憶部
４０，２４０，３４０  管理サーバ
５１，２５１，３５１  広告ＵＲＬテーブル
６０，２６０，３６０  制御部
６１，２６１，３６１  広告ＵＲＬ選択部
６２，２６２，３６２  広告ＵＲＬ送信部
３１０  カード
３２１ａ  地図表示ボタン
【図１】
2014092577.tif 000003
【図２】
2014092577.tif 000004
【図３】
2014092577.tif 000005
【図４】
2014092577.tif 000006
【図５】
2014092577.tif 000007
【図６】
2014092577.tif 000008
【図７】
2014092577.tif 000009
【図８】
2014092577.tif 000010
【図９】
2014092577.tif 000011
【図１０】
2014092577.tif 000012
【図１１】
2014092577.tif 000013
【図１２】
2014092577.tif 000014